(57)【要約】  赤ちゃん用の歯がため装置は、シールド、シールドから延びたハンドル、ハンドルの反対側のシールドから延びた乳首状部分、および乳首状部分に規定された複数の歯がため稜部を有して設けられている。複数の歯がため稜部は、連続した一般に直線的なシールドと実質的に平行な稜部、および／或いは複数の同心の歯がため稜部を含むことができる。
2011515190.tif 000002
【特許請求の範囲】
【請求項１】
シールドと；
このシールドから延びたハンドルと；
このハンドルと反対側で上記シールドから延びた乳首状部分と；
この乳首状部分に設けられた複数の歯がため稜部と；
を有する赤ちゃん用の歯がため装置。
【請求項２】
上記シールドは、
硬い内部基体と；
上記硬い内部基体を覆うように成形された可撓性の外側層と；を有し、
上記ハンドル、上記乳首状部分、および上記複数の歯がため稜部が上記可撓性の外側層と一体に成形される請求項１の歯がため装置。
【請求項３】
上記ハンドルは、上記シールドの外縁部から延び、上記シールドの幅と実質的に等しいハンドル開口を規定する請求項２の歯がため装置。
【請求項４】
上記ハンドルは、約０．０１０インチと約０．０インチとの間の曲率を有する尖った歯がためエッジを提供する一対の上エッジおよび一対の下エッジを有する請求項３の歯がため装置。
【請求項５】
上記ハンドル上に複数の歯がため突起をさらに有する請求項４の歯がため装置。
【請求項６】
上記複数の歯がため突起の各突起は、一般的に半球形を有する請求項５の歯がため装置。
【請求項７】
上記ハンドル上に複数の同心の歯がため突起をさらに有する請求項４の歯がため装置。
【請求項８】
上記複数の歯がため稜部は、連続した一般に直線状の稜部を有する請求項２の歯がため装置。
【請求項９】
上記連続した一般に直線状の稜部の各稜部は、約１インチより少なくない曲率半径を有する請求項８の歯がため装置。
【請求項１０】
上記複数の歯がため稜部は、複数の同心の歯がため稜部を有する請求項２の歯がため装置。
【請求項１１】
上記内部基体は、約７００キロポンドパースクエアインチと約１６００キロポンドパースクエアインチとの間の剪断弾性係数を有する請求項２の歯がため装置。
【請求項１２】
上記内部基体は、約２０キロポンドパースクエアインチと約１６００キロポンドパースクエアインチとの間の弾性率を有する請求項２の歯がため装置。
【請求項１３】
上記内部基体は、約２０と約１５０との間のロックウェルＲ硬さを有する請求項２の歯がため装置。
【請求項１４】
上記内部基体は、ポリプロピレン、ポリアミド、アクリロニトリルブタジエンスチレン、ポリカーボネート、およびこれらの組み合わせからなるグループから選択されたサーモプラスティックポリマーを有する請求項２の歯がため装置。
【請求項１５】
上記外側層は、約３０と約７０との間のショアＡ硬さを有する請求項２の歯がため装置。
【請求項１６】
上記外側層は、約４０と約６０との間のショアＡ硬さを有する請求項２の歯がため装置。
【請求項１７】
上記外側層は、サーモプラスティックエラストマー或いはシリコーン材料を有する請求項２の歯がため装置。
【請求項１８】
上記内部基体は、中央開口および複数の通気開口を有し、上記外側層は、上記中央開口を覆って満たす請求項２の歯がため装置。
【請求項１９】
上記複数の通気開口の各通気開口は、上記内部基体の後面から上方に延びた第１の直立したリム、および上記内部基体の前面から上方に延びた第２の直立したリムを有し、上記第１の直立したリムが第１の高さで上記後面から延び、上記第２の直立したリムが第２の高さで上記前面から延びている請求項１８の歯がため装置。
【請求項２０】
上記外側層は、上記第１の直立したリムの領域で上記第１の高さに実質的に等しい厚さを有し、上記第２の直立したリムの領域で上記第２の高さに実質的に等しい厚さを有し、上記外側層の上面は、上記第１および第２の直立したリムの上面に対して実質的に平らである請求項１９の歯がため装置。
【請求項２１】
上記第１および第２の高さは、同じ或いは互いに異なる請求項１９の歯がため装置。
【請求項２２】
上記ハンドルは、上記シールドの外縁部から延び、上記シールドの幅と実質的に等しいハンドル開口を規定する請求項１の歯がため装置。
【請求項２３】
上記ハンドル上に複数の歯がため突起をさらに有する請求項２２の歯がため装置。
【請求項２４】
上記ハンドル上に複数の同心の歯がため稜部をさらに有する請求項２２の歯がため装置。
【請求項２５】
上記複数の歯がため稜部は、連続した一般に直線状の稜部を有する請求項１の歯がため装置。
【請求項２６】
上記連続した一般に直線状の稜部の各稜部は、約１インチより少なくない曲率半径を有する請求項２５の歯がため装置。
【請求項２７】
上記乳首状部分上に複数の歯がため突起をさらに有する請求項２５の歯がため装置。
【請求項２８】
上記複数の歯がため稜部は、複数の同心の歯がため稜部を有する請求項１の歯がため装置。
【請求項２９】
上記複数の歯がため稜部の各稜部は、上記乳首状部分の表面に属する第１面および第２面を有する請求項１の歯がため装置。
【請求項３０】
上記第１および第２面は、約０．０１０インチと約０．０インチとの間の曲率を有する頂部で会う請求項２９の歯がため装置。
【請求項３１】
上記曲率は、約０．００５インチを含む請求項３０の歯がため装置。
【請求項３２】
上記第１および第２面は、それらの間のレーキ角を規定し、上記レーキ角は、約１１０度と約１３０度との間である請求項２９の歯がため装置。
【請求項３３】
上記レーキ角は、約１２０度である請求項３２の歯がため装置。
【請求項３４】
上記複数の歯がため稜部は、乳首状部分の上面上、および上記乳首状部分の下面上に形成される請求項１の歯がため装置。
【発明の詳細な説明】
【発明の概要】
【０００１】
発明の背景
１．発明の分野
本明細は、赤ちゃん用の歯がため装置に関する。特に、本明細は、１つ或いはそれ以上の予め決められた歯茎の縁の位置の圧力を最大化するために設けられた複数の歯がため稜部を有する赤ちゃん用の歯がため装置に関する。
【０００２】
２．従来技術の説明
赤ちゃん用の歯がため装置は、一般に、歯が生えることの不快さを軽減するとともに歯茎および組織の薄い層を通って歯が生えることを補助するため、赤ちゃんや子供が噛むことができる１つ或いはそれ以上の表面を有する。
【０００３】
赤ちゃん用の歯がため装置は、多くの異なる形やサイズを有して開発されている。いくらかの従来の歯がため装置は、使用中に赤ちゃんが保持して取り扱うのが難しい。他の従来の歯がため装置は、そのサイズや形が赤ちゃんの口に気持ちよくフィットするのに最適でないため、薄い組織層を通って新しい歯が生えるように赤ちゃんをアシストするのに最適ではないことが証明されている。さらに、他の従来の歯がため装置は、赤ちゃん達が慣れ親しんだ赤ちゃん用のおしゃぶり装置や赤ちゃん用の哺乳瓶の乳首と異なる見た目、形、および／或いはサイズを有することから、赤ちゃんを混乱させることが証明されている。
【０００４】
従って、赤ちゃん用の歯がため装置には、従来の歯がため装置の１つ或いはそれ以上の上述したまたは他の有害な効果を解消し、軽くし、および／或いは和らげる継続した要求があることがわかっている。
【０００５】
赤ちゃん用の歯がため装置は、シールドと、このシールドから延びたハンドルと、このハンドルと反対側で上記シールドから延びた乳首状部分と、この乳首状部分に設けられた複数の歯がため稜部と、を有して提供される。複数の歯がため稜部は、実質的にシールドと平行な連続した一般に直線状の稜部および／或いは複数の同心の歯がため稜部を有することができる。
【０００６】
いくらかの実施例において、シールドは、硬い内部基体およびこの硬い内部基体を覆って成形された可撓性の外側層を有する。ここでは、ハンドル、乳首状部分、および複数の歯がため稜部が可撓性の外側層と一体に成形されている。
【０００７】
内部基体は、中央開口および複数の通気開口を有することができ、外側層が中央開口を覆って満たす。
【０００８】
他の実施例において、ハンドルは、シールドの外縁部から延び、シールドの幅と実質的に等しいハンドル開口を規定する。
【０００９】
複数の通気開口は、内部基体の後面から上方に延びた第１の直立したリム、および内部基体の前面から上方に延びた第２の直立したリムを有することができる。第１の直立したリムが第１の高さで延び、第２の直立したリムが第２の高さで延びている。外側層は、第１の直立したリムの領域で第１の高さに実質的に等しい厚さを有し、第２の直立したリムの領域で第２の高さに実質的に等しい厚さを有し、外側層の上面は、第１および第２の直立したリムの上面に対して実質的に平らである。
【００１０】
本明細の上述したまたは他の特徴および効果は、当業者によって、以下に説明する詳細な説明、図面、および添付した特許請求の範囲から高く評価され且つ理解されるであろう。
【図面の簡単な説明】
【００１１】
【図１】図１は、第１実施例の歯がため稜部を有する本明細による歯がため装置を示す斜視図である。
【図２】図２は、図１の歯がため装置の側面図であり、反対の側面図も同じである。
【図３】図３は、図１の歯がため装置の頂面図であり、底面図も同じである。
【図４】図４は、図３の歯がため装置の線４−４に沿った断面図である。
【図５】図５は、図４の円５内の拡大図である。
【図６】図６は、図１の歯がため装置の内部基体の実施例を示す等角図である。
【図７】図７は、図６の内部基体を示す正面等角図である。
【図８】図８は、内部基体を覆う外側層を仮想線で示す図１の歯がため装置の頂面図である。
【図９】図９は、第２実施例の歯がため稜部を有する本明細による歯がため装置を示す斜視図である。
【図１０】図１０は、図９の歯がため装置の側面図であり、反対の側面図も同じである。
【図１１】図１１は、図９の歯がため装置の頂面図であり、底面図も同じである。
【図１２】図１２は、図１１の歯がため装置の線１２−１２に沿った断面図である。
【図１３】図１３は、図１２の円１３内の拡大図である。
【００１２】
発明の詳細な説明
図面を参照して、特に図１乃至図４を参照して、本明細による赤ちゃん用の歯がため装置が示されており、一般に参照符号１０によって参照される。
【００１３】
歯がため装置１０は、シールド１２、ハンドル１４、乳首状部分１６、１つ或いはそれ以上の歯がため稜部１８、および、いくらかの実施例において、１つ或いはそれ以上の歯がため突起２０を有する。
【００１４】
赤ちゃんの奥歯と比較して赤ちゃんの前歯の形や位置が、歯が生えるプロセスを良くアシストする異なる形状の歯がため稜部を必要とすることが、本明細によって決められる。ここで使用されるように、赤ちゃんの前歯は中央の切歯および横の切歯を含み、一方で赤ちゃんの奥歯は犬歯および臼歯を含む。
【００１５】
一般に、前歯は表面を覆う組織層を通して６ヶ月と２３ヶ月との間に生え、一方で、奥歯は表面を覆う組織層を通して約１３ヶ月で生える。歯がため装置１０は、奥歯が生える間に使用するよう構成され、赤ちゃんの奥歯に対する点接触を最大にするように構成されている。
【００１６】
特に、歯がため装置１０は、乳首状部分１６上に形成された複数の歯がため稜部１８を含む。好適には、これら複数の歯がため稜部１８は、赤ちゃんの奥歯に対する点接触を最大にするように構成されている。いくらかの実施例において、歯がため装置１０は、乳首状部分１６上に形成された複数の突起２０を含むことができる。これら複数の突起２０は、赤ちゃんの前歯に対して少なくともいくらかの点接触を与えるように構成されている。
【００１７】
複数の歯がため稜部１８は、シールド１２から離間して乳首状部分１６上に形成され、一方で、複数の歯がため突起２０は、存在するときは、シールド１２に近い位置で乳首状部分１６上に形成されている。これにより、歯がため装置１０は、複数の突起２０が前歯に位置して複数の歯がため稜部１８が奥歯に位置するとともにシールド１２が赤ちゃんの顔に近付くように、赤ちゃんの口に銜えさせることができる。
【００１８】
乳首状部分１６は、小さな歯がため部分を伴う歯がため装置１０を提供する。この小さな歯がため部分は、複数の歯がため稜部および突起１８、２０をそれぞれ有し、気持ちよく安全に赤ちゃんの口にフィットする。シールド１２および乳首状部分１６の形は、全ての歯茎の縁或いは歯茎の縁の多くの部分に対向して、圧力が集中された領域として、複数の歯がため稜部および突起１８、２０に赤ちゃんが届くように許容する。従って、歯がため装置１０は、赤ちゃんが最も必要とする、すなわち奥歯のためのピンポイント圧力を許容する。
【００１９】
複数の歯がため稜部１８が、赤ちゃんに対して、小さな領域を噛む力を与えることから、その領域の組織に与えられる結果的な圧力は、同じ噛む力をより大きな領域に与えたときに組織へ与えられる圧力と比較して増大される。
【００２０】
さらに、シールド１２および乳首状部分１６の形およびサイズは、歯がため装置１０に典型的なおしゃぶりの見た目および感じを与える。これにより、歯がための間の歯がため装置１０の使用および赤ちゃんのおしゃぶり装置から歯がため装置への移行を助けることができ、そして、おしゃぶり装置から赤ちゃんを乳離れさせる助けにできる。
【００２１】
歯がため装置１０は、複数の歯がため稜部１８を有する。好ましくは、歯がため装置１０は、乳首状部分１６の上面２２上に複数の歯がため稜部１８を有し、乳首状部分１６の下面２４上に複数の歯がため稜部１８を有する。これら複数の歯がため稜部１８は、連続した一般的に直線状の稜部（４つ図示）として配置されている。
【００２２】
明瞭化の目的のため、歯がため稜部１８は、乳首状部分１６の上面２２に属する歯がため稜部が示された図５を参照してより詳細に説明される。稜部１８は、乳首状部分１６の表面２２に属する第１面２６および第２面２８を含む。第１および第２面２６、２８は、頂部３０で会う。頂部３０は、約０．０１０インチから約０．０インチの間および好ましくは約０．００５インチ程度のサブレンジの間の丸みを有することができる。
【００２３】
好適な実施例において、上面および下面２２、２４の両方にある各歯がため稜部１８の頂部３０は、実質的に同じ丸みを有する。しかしながら、上面２２の各歯がため稜部１８の頂部３０が互いに異なる丸みを有すること、下面２４の各稜部１８の頂部３０が互いに異なる丸みを有すること、上面２２の各稜部１８の頂部３０が下面２４の各稜部１８と異なる丸みを有すること、およびこれらの組み合わせが熟慮される。
【００２４】
第１および第２面２６、２８は、それらの間のレーキ角３２を規定する。例えば、角度３２は、約１１０度から約１３０度の間および好ましくは約１２５度程度のサブレンジの間であることができる。
【００２５】
好適な実施例において、上面２２および下面２４の両方にある複数の歯がため稜部の各歯がため稜部１８は、実質的に同じレーキ角を有する。しかしながら、上面２２の各稜部１８が互いに異なるレーキ角を有すること、下面２４の各稜部１８が互いに異なるレーキ角を有すること、上面２２の各稜部１８が下面２４の各稜部１８と異なるレーキ角を有すること、およびこれらの組み合わせが熟慮される。
【００２６】
いくらかの実施例において、複数の歯がため稜部１８は、図３に示すように実質的に直線状である。また、これら複数の歯がため稜部１８は、一般に、乳首状部分１６の長手方向に直交する。
【００２７】
他の実施例において、歯がため稜部１８は、約０．５インチより少なくない、より好ましくは約１．０インチより少なくない曲率半径（Ｒ１）を有する。これにより、歯がため稜部１８は、シールド１２の曲率と実質的に平行な曲率を有する。
【００２８】
シールド１２は、約３．０インチから約４．０インチの間、好ましくは約３．５インチ程度の曲率半径（Ｒ２）を有する。シールド１２の曲率半径（Ｒ２）は、シールド１２が皮膚の接触を減少するよう赤ちゃんの顔から離れるように湾曲し、且つ赤ちゃんが奥歯に届くようにその口内で所望するいかなる位置へも乳首状部分１６を配置できるように、決められている。
【００２９】
好適な実施例において、複数の歯がため稜部１８は、全て、実質的に同じ曲率半径を有する。しかしながら、各稜部１８が異なる曲率半径を有すること、或いはいくらかの歯がため稜部１８が実質的に同じ曲率半径を有する一方で他の稜部が異なる曲率半径を有することが熟慮される。実施例において歯がため稜部１８は異なる曲率半径を有し、複数の稜部が共通の中心点を有し、すなわち互いに集中することが本明細によって熟慮される。
【００３０】
歯がため装置１０は、いくつかの実施例において、複数の歯がため突起２０を有する。好ましくは、歯がため装置１０は、上面２２上に複数の歯がため突起２０を有し、下面２４上に複数の歯がため突起２０を有する。複数の突起２０は、一般に、半球形を有する。
【００３１】
いくつかの実施例において、複数の歯がため突起２０は、互いに共通の曲率を有することができ、一方、他の実施例においては、複数の突起２０は、互いに種々の曲率を有することができる。例えば、複数の突起２０は、約０．０２インチから約０．１０インチの間およびその間のサブレンジ、好ましくは約０．０４インチから約０．０８インチの高さを有することができる。
【００３２】
再び図４を参照して、シールド１２は、硬い内部基体３４を含む。この内部基体３４は、その外側に直接成形された可撓性のある外側層３６を有する。シールド１２の外側層３６を規定することに加えて、外側層３６の材料は、ハンドル１４、乳首状部分１６、歯がため稜部１８、および、存在する場合には、複数の突起２０をさらに規定する。従って、歯がため装置１０は、１つに一体化されたデザインを供給し、構成要素を減少し、製造における有効性を増大する。
【００３３】
内部基体３４は、１平方インチあたり約７００から約１６００キロポンド（ＫＳＩ）、より好ましくは、８００から１２００ＫＳＩの剪断弾性係数を有するいかなる材料であっても良い。さらに、内部基体３４は、約２０から約１６００ＫＳＩの間、より好ましくは約１００から約５００ＫＳＩの間の弾性率を有するいかなる材料であっても良い。最後に、内部基体３４は、２０から約１５０の間、より好ましくは約６５から約８５の間のロックウェルＲ固さを有するいかなる材料であっても良い。例えば、内部基体３４は、ポリプロピレン（ＰＰ）、ポリアミド（ナイロン）、アクリロニトリルブタジエンスチレン（ＡＢＳ）、ポリカーボネート（ＰＣ）、およびこれらの組み合わせのような、これらに限定されることのない、いかなるサーモプラスティックポリマーで形成されることができる。
【００３４】
シールド１２の外側層３６の材料、および、すなわち、ハンドル１４、乳首状部分１６、歯がため稜部１８、および歯がため突起２０の材料は、約３０から約７０の間（ショアＡ）、より好ましくは約４０から約６０の間（ショアＡ）の硬さを有するいかなる材料であっても良い。例えば、外側層３６は、いかなるサーモプラスティックエラストマー或いはシリコーンで形成されることができる。
【００３５】
図６および図７を参照して、内部基体３４が説明される。内部基体３４は、中央開口３８および複数の通気開口４０（２つだけ示す）を有する。通気開口４０は、歯がため装置１０の使用中における安全のための空気の流通を与える。赤ちゃんの顔から離れるシールドの湾曲は、肌の接触を減少し、赤ちゃんが、奥歯や臼歯に届くように、口の周りに沿ったいかなる場所に置くことを許容する。
【００３６】
通気開口４０は、後面４４（図６）から上方に延びた第１の直立したリム４２、および前面４８（図７）から上方に延びた第２の直立したリム４６を有する。第１の直立したリム４２は、第１の高さ（Ｈ１）で後面４４から上方に延び、一方、第２の直立したリム４６は、第２の高さ（Ｈ２）で前面４８から上方に延びている。第１および第２の高さ（Ｈ１、Ｈ２）は、所望するように同じ高さ或いは互いに異なる高さにできる。
【００３７】
内部基体３４上に外側層３６を成形する際、図４に示すように、外側層は、内部基体の前面および後面４４、４８をカバーする。さらに、外側層３６は、内部基体３６の中央開口３８をカバーして満たす。
【００３８】
好適な実施例において、外側層３６は、図８に示すように、第１の直立したリム４２の領域で第１の高さ（Ｈ１）と実質的に等しい厚さを有し、第２の直立したリム４４の領域で第２の高さ（Ｈ２）と実質的に等しい厚さを有する。このように、外側層３６の上面は、第１および第２の直立したリム４２、４４の上面と実質的に平らである。
【００３９】
図３および図８に示すように、ハンドル１４は、シールド１２の外縁部５０から延びている。外縁部５０から延びたハンドル１４が大きなハンドル開口５２を提供することが本明細によって決められる。ハンドル開口５２は、赤ちゃんが歯がための際に保持できる容易さを増す。特に、ハンドル開口５２は、実質的にシールド１２の幅と等しい。
【００４０】
さらに、外縁部５０から延びたハンドル１４は、図４に示す一対の上エッジ５４および一対の下エッジ５６を提供する。これら一対の上エッジ５４および一対の下エッジ５６は、赤ちゃんが噛むことができる追加の尖ったエッジを提供する。例えば、エッジ５４、５６は、約０．０１０インチから約０．０インチの間およびそれらの間のサブレンジ、好ましくは約０．００５インチの曲率を有することができる。
【００４１】
いくつかの実施例において、ハンドル１４は、図２に示すように、その上に規定された複数の歯がため突起５８を含むことができる。複数の突起５８は、上で詳述した複数の突起２０と同様に、一般に半球形を有する。複数の突起５８は、互いに共通の曲率を有することができ、或いは互いに異なる曲率を有することができる。例えば、複数の突起５８は、約０．０２インチから約０．１５インチの間およびその間のサブレンジ、好ましくは約０．０４インチから約０．０８インチの高さを有することができる。
【００４２】
図面、特に図９から図１２を参照して、本明細による赤ちゃん用の歯がため装置の代わりの実施例が示され、一般に参照符号１１０によって参照される。
【００４３】
歯がため装置１１０は、図１から図８を用いて上述したように、シールド１２およびハンドル１４を有する。さらに、歯がため装置１１０は、同心の複数の歯がため稜部１１８を有する乳首状部分１１６を有する。
【００４４】
乳首状部分１１６上の複数の歯がため稜部１１８は、赤ちゃんの前歯に対する点接触を最大にするように構成されている。歯がため装置１１０が、奥歯が生える前に一般に起こる前歯が生えるとき、すなわち５ヶ月と１０ヶ月の間に主に使用されることから、歯がため装置１１０は、乳首状部分１１６上に複数の歯がため突起２０を有していない。
【００４５】
むしろ、歯がため装置１１０は、乳首状部分１１６上に形成された複数の歯がため稜部１１８を有し、歯がため装置１１０が赤ちゃんの口の中に配置されてシールド１２が赤ちゃんの顔に面したとき、複数の歯がため稜部１１８が前歯に位置する。
【００４６】
上述した乳首状部分１６と同様の乳首状部分１１６は、気持ちよく安全に赤ちゃんの口にフィットする小さな歯がため部分を伴う歯がため装置１１０を提供する。シールド１２および乳首状部分１１６の形は、全ての歯茎の縁或いは歯茎の縁の多くの部分に対向して、圧力が集中された領域として、複数の歯がため稜部１１８に赤ちゃんが届くように許容する。従って、歯がため装置１１０は、赤ちゃんが最も必要とする、すなわち前歯のためのピンポイント圧力を許容する。
【００４７】
さらに、シールド１２および乳首状部分１１６の形およびサイズは、歯がため装置１０に典型的なおしゃぶりの見た目および感じを与える。これにより、歯がための間の歯がため装置１１０の使用が、赤ちゃんのおしゃぶり装置から歯がため装置への移行を助けることができ、そして、おしゃぶり装置から赤ちゃんを乳離れさせる助けにできる。
【００４８】
好ましくは、歯がため装置１１０は、乳首状部分１１６の上面１２２上に複数の歯がため稜部１１８を有し、乳首状部分１１６の下面１２４上に複数の歯がため稜部１１８を有する。これら複数の歯がため稜部１１８は、連続した同心の複数のリング（３つ図示）として配置されている。
【００４９】
明瞭化の目的のため、歯がため稜部１１８は、乳首状部分１１６の上面１２２に属する稜部が示された図１３を参照してより詳細に説明される。稜部１１８は、表面１２２に属する第１面１２６および第２面１２８を含む。第１および第２面１２６、１２８は、頂部１３０で会う。頂部１３０は、約０．０１０インチから約０．０インチの間および好ましくは約０．００５インチ程度のサブレンジの間の丸みを有することができる。
【００５０】
好適な実施例において、上面および下面１２２、１２４の両方にある各稜部１１８の頂部１３０は、実質的に同じ丸みを有する。しかしながら、上面１２２の各稜部１１８の頂部１３０が互いに異なる丸みを有すること、下面１２４の各稜部１１８の頂部１３０が互いに異なる丸みを有すること、上面１２２の各稜部１１８の頂部１３０が下面１２４の各稜部１１８と異なる丸みを有すること、およびこれらの組み合わせが熟慮される。
【００５１】
第１および第２面１２６、１２８は、それらの間のレーキ角１３２を規定する。例えば、角度１３２は、約１１０度から約１３０度の間および好ましくは約１２０度程度のサブレンジの間であることができる。
【００５２】
好適な実施例において、上面１２２および下面１２４の両方にある複数の歯がため稜部の各歯がため稜部１１８は、実質的に同じレーキ角を有する。しかしながら、上面１２２の各稜部１１８が互いに異なるレーキ角を有すること、下面１２４の各稜部１１８が互いに異なる角度を有すること、上面１２２の各稜部１１８が下面１２４の各稜部１１８と異なる角度を有すること、およびこれらの組み合わせが熟慮される。
【００５３】
歯がため装置１１０の複数の歯がため稜部１１８が、歯がため装置１０の実施例と同じ使用を見い出すことに気付くべきである。特に、歯がため装置１０が、複数の歯がため突起２０の代わりにおよび／或いは追加して１つ或いはそれ以上の同心の複数の歯がためリング１１８を有することが本明細によって熟慮される。
【００５４】
さらに、歯がため装置１０、１１０が、ハンドル１４上の複数の歯がため突起５８の代わりにおよび／或いは追加して１つ或いはそれ以上の同心の歯がため稜部１１８を有することが本明細によって熟慮される。
【００５５】
歯がため装置１０、１１０は、米国消費者製品安全委員会の１６Ｃ．Ｆ．Ｒ．Ｐａｒｔ１５１１に示されたおしゃぶりのための現在の安全要求に合うようにサイズが決められて形成されている。特に、シールド１２は、子供の口に吸引できないようにあまり小さくなく或いは可撓性をもたないサイズおよび形にされ、ハンドル１４は、ころんだときに子供の口へ歯がため装置１０、１１０が押し込まれることのないように十分に長くなく十分に硬くなく、歯がため装置１０、１１０は、一体の１つの装置にした結果として、小さなパーツを提供しない。
【００５６】
“第１”、“第２”、“第３”、“上”、“下”などの言葉が、ここでは、種々の部材を変更するために用いられていることに気付くべきである。これらの変更は、特に示されることなく変更された部材の空間的な順、事象が起こる順、或いは階級の順を意味するものではない。
【００５７】
１つ或いはそれ以上の例示的な実施例を示して本明細が説明された一方で、本明細の範囲から外れることなく種々の変更がされまたは部材の均等物への置き換えが、当業者によって理解される。さらに、開示範囲を超えることなく、特別な形態或いは材料を開示内容へ付け加えるように多くの変更がされる。それゆえに、本明細が、熟慮されたベストモードとして開示された特別な実施例に限定されることなく、添付された特許請求の範囲の範囲内における全ての実施例を含むように仕向けられる。
【図１】
2011515190.tif 000003
【図２】
2011515190.tif 000004
【図３】
2011515190.tif 000005
【図４】
2011515190.tif 000006
【図５】
2011515190.tif 000007
【図６】
2011515190.tif 000008
【図７】
2011515190.tif 000009
【図８】
2011515190.tif 000010
【図９】
2011515190.tif 000011
【図１０】
2011515190.tif 000012
【図１１】
2011515190.tif 000013
【図１２】
2011515190.tif 000014
【図１３】
2011515190.tif 000015
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
シールドと；
このシールドから延びたハンドルと；
このハンドルと反対側で上記シールドから延びた乳首状部分と；
上記乳首状部分の上面上に設けられた複数の第１の歯がため稜部と；
上記乳首状部分の下面上に設けられた複数の第２の歯がため稜部と；を有し、
上記複数の第１の歯がため稜部は、上記複数の第２の歯がため稜部から分離して別個に設けられている赤ちゃん用の歯がため装置。
【請求項２】
上記シールドは、
硬い内部基体と；
上記硬い内部基体を覆うように成形された可撓性の外側層と；を有し、
上記ハンドル、上記乳首状部分、および上記複数の第１および第２の歯がため稜部が上記可撓性の外側層と一体に成形される請求項１の歯がため装置。
【請求項３】
上記ハンドルは、上記シールドの外縁部から延び、上記シールドの幅と実質的に等しいハンドル開口を規定する請求項２の歯がため装置。
【請求項４】
上記ハンドルは、約０．０１０インチと約０．０インチとの間の曲率を有する尖った歯がためエッジを提供する一対の上エッジおよび一対の下エッジを有する請求項３の歯がため装置。
【請求項５】
上記ハンドル上に複数の歯がため突起をさらに有する請求項４の歯がため装置。
【請求項６】
上記複数の歯がため突起の各突起は、一般的に半球形を有する請求項５の歯がため装置。
【請求項７】
上記ハンドル上に複数の同心の歯がため突起をさらに有する請求項４の歯がため装置。
【請求項８】
上記複数の第１および第２の歯がため稜部は、連続した一般に直線状の稜部を有する請求項２の歯がため装置。
【請求項９】
上記連続した一般に直線状の稜部の各稜部は、約１インチより少なくない曲率半径を有する請求項８の歯がため装置。
【請求項１０】
上記複数の第１および第２の歯がため稜部は、複数の同心の歯がため稜部を有する請求項２の歯がため装置。
【請求項１１】
上記内部基体は、約７００キロポンドパースクエアインチと約１６００キロポンドパースクエアインチとの間の剪断弾性係数を有する請求項２の歯がため装置。
【請求項１２】
上記内部基体は、約２０キロポンドパースクエアインチと約１６００キロポンドパースクエアインチとの間の弾性率を有する請求項２の歯がため装置。
【請求項１３】
上記内部基体は、約２０と約１５０との間のロックウェルＲ硬さを有する請求項２の歯がため装置。
【請求項１４】
上記内部基体は、ポリプロピレン、ポリアミド、アクリロニトリルブタジエンスチレン、ポリカーボネート、およびこれらの組み合わせからなるグループから選択されたサーモプラスティックポリマーを有する請求項２の歯がため装置。
【請求項１５】
上記外側層は、約３０と約７０との間のショアＡ硬さを有する請求項２の歯がため装置。
【請求項１６】
上記外側層は、約４０と約６０との間のショアＡ硬さを有する請求項２の歯がため装置。
【請求項１７】
上記外側層は、サーモプラスティックエラストマー或いはシリコーン材料を有する請求項２の歯がため装置。
【請求項１８】
上記内部基体は、中央開口および複数の通気開口を有し、上記外側層は、上記中央開口を覆って満たす請求項２の歯がため装置。
【請求項１９】
上記複数の通気開口の各通気開口は、上記内部基体の後面から上方に延びた第１の直立したリム、および上記内部基体の前面から上方に延びた第２の直立したリムを有し、上記第１の直立したリムが第１の高さで上記後面から延び、上記第２の直立したリムが第２の高さで上記前面から延びている請求項１８の歯がため装置。
【請求項２０】
上記外側層は、上記第１の直立したリムの領域で上記第１の高さに実質的に等しい厚さを有し、上記第２の直立したリムの領域で上記第２の高さに実質的に等しい厚さを有し、上記外側層の上面は、上記第１および第２の直立したリムの上面に対して実質的に平らである請求項１９の歯がため装置。
【請求項２１】
上記第１および第２の高さは、同じ或いは互いに異なる請求項１９の歯がため装置。
【請求項２２】
上記ハンドルは、上記シールドの外縁部から延び、上記シールドの幅と実質的に等しいハンドル開口を規定する請求項１の歯がため装置。
【請求項２３】
上記ハンドル上に複数の歯がため突起をさらに有する請求項２２の歯がため装置。
【請求項２４】
上記ハンドル上に複数の同心の歯がため稜部をさらに有する請求項２２の歯がため装置。
【請求項２５】
上記複数の第１および第２の歯がため稜部は、連続した一般に直線状の稜部を有する請求項１の歯がため装置。
【請求項２６】
上記連続した一般に直線状の稜部の各稜部は、約１インチより少なくない曲率半径を有する請求項２５の歯がため装置。
【請求項２７】
上記乳首状部分上に複数の歯がため突起をさらに有する請求項２５の歯がため装置。
【請求項２８】
上記複数の第１および第２の歯がため稜部は、複数の同心の歯がため稜部を有する請求項１の歯がため装置。
【請求項２９】
上記複数の第１および第２の歯がため稜部の各稜部は、上記乳首状部分の表面に属する第１面および第２面を有する請求項１の歯がため装置。
【請求項３０】
上記第１および第２面は、約０．０１０インチと約０．０インチとの間の曲率を有する頂部で会う請求項２９の歯がため装置。
【請求項３１】
上記曲率は、約０．００５インチを含む請求項３０の歯がため装置。
【請求項３２】
上記第１および第２面は、それらの間のレーキ角を規定し、上記レーキ角は、約１１０度と約１３０度との間である請求項２９の歯がため装置。
【請求項３３】
上記レーキ角は、約１２０度である請求項３２の歯がため装置。
【請求項３４】
シールドと；
このシールドから延びたハンドルと；上記ハンドルは、上記シールドの外縁部から延び、上記シールドの幅と実質的に等しいハンドル開口を規定する、
上記ハンドルと反対側で上記シールドから延びた乳首状部分と；
この乳首状部分に設けられた複数の歯がため稜部と；
を有する赤ちゃん用の歯がため装置。
【手続補正２】
【補正対象書類名】明細書
【補正対象項目名】００５７
【補正方法】変更
【補正の内容】
【００５７】
１つ或いはそれ以上の例示的な実施例を示して本明細が説明された一方で、本明細の範囲から外れることなく種々の変更がされまたは部材の均等物への置き換えが、当業者によって理解される。さらに、開示範囲を超えることなく、特別な形態或いは材料を開示内容へ付け加えるように多くの変更がされる。それゆえに、本明細が、熟慮されたベストモードとして開示された特別な実施例に限定されることなく、添付された特許請求の範囲の範囲内における全ての実施例を含むように仕向けられる。
以下に、本願発明の当初の特許請求の範囲に記載された発明を付記する。
［１］
シールドと；
このシールドから延びたハンドルと；
このハンドルと反対側で上記シールドから延びた乳首状部分と；
この乳首状部分に設けられた複数の歯がため稜部と；
を有する赤ちゃん用の歯がため装置。
［２］
上記シールドは、
硬い内部基体と；
上記硬い内部基体を覆うように成形された可撓性の外側層と；を有し、
上記ハンドル、上記乳首状部分、および上記複数の歯がため稜部が上記可撓性の外側層と一体に成形される［１］の歯がため装置。
［３］
上記ハンドルは、上記シールドの外縁部から延び、上記シールドの幅と実質的に等しいハンドル開口を規定する［２］の歯がため装置。
［４］
上記ハンドルは、約０．０１０インチと約０．０インチとの間の曲率を有する尖った歯がためエッジを提供する一対の上エッジおよび一対の下エッジを有する［３］の歯がため装置。
［５］
上記ハンドル上に複数の歯がため突起をさらに有する［４］の歯がため装置。
［６］
上記複数の歯がため突起の各突起は、一般的に半球形を有する［５］の歯がため装置。
［７］
上記ハンドル上に複数の同心の歯がため突起をさらに有する［４］の歯がため装置。
［８］
上記複数の歯がため稜部は、連続した一般に直線状の稜部を有する［２］の歯がため装置。
［９］
上記連続した一般に直線状の稜部の各稜部は、約１インチより少なくない曲率半径を有する［８］の歯がため装置。
［１０］
上記複数の歯がため稜部は、複数の同心の歯がため稜部を有する［２］の歯がため装置。
［１１］
上記内部基体は、約７００キロポンドパースクエアインチと約１６００キロポンドパースクエアインチとの間の剪断弾性係数を有する［２］の歯がため装置。
［１２］
上記内部基体は、約２０キロポンドパースクエアインチと約１６００キロポンドパースクエアインチとの間の弾性率を有する［２］の歯がため装置。
［１３］
上記内部基体は、約２０と約１５０との間のロックウェルＲ硬さを有する［２］の歯がため装置。
［１４］
上記内部基体は、ポリプロピレン、ポリアミド、アクリロニトリルブタジエンスチレン、ポリカーボネート、およびこれらの組み合わせからなるグループから選択されたサーモプラスティックポリマーを有する［２］の歯がため装置。
［１５］
上記外側層は、約３０と約７０との間のショアＡ硬さを有する［２］の歯がため装置。
［１６］
上記外側層は、約４０と約６０との間のショアＡ硬さを有する［２］の歯がため装置。
［１７］
上記外側層は、サーモプラスティックエラストマー或いはシリコーン材料を有する［２］の歯がため装置。
［１８］
上記内部基体は、中央開口および複数の通気開口を有し、上記外側層は、上記中央開口を覆って満たす［２］の歯がため装置。
［１９］
上記複数の通気開口の各通気開口は、上記内部基体の後面から上方に延びた第１の直立したリム、および上記内部基体の前面から上方に延びた第２の直立したリムを有し、上記第１の直立したリムが第１の高さで上記後面から延び、上記第２の直立したリムが第２の高さで上記前面から延びている［１８］の歯がため装置。
［２０］
上記外側層は、上記第１の直立したリムの領域で上記第１の高さに実質的に等しい厚さを有し、上記第２の直立したリムの領域で上記第２の高さに実質的に等しい厚さを有し、上記外側層の上面は、上記第１および第２の直立したリムの上面に対して実質的に平らである［１９］の歯がため装置。
［２１］
上記第１および第２の高さは、同じ或いは互いに異なる［１９］の歯がため装置。
［２２］
上記ハンドルは、上記シールドの外縁部から延び、上記シールドの幅と実質的に等しいハンドル開口を規定する［１］の歯がため装置。
［２３］
上記ハンドル上に複数の歯がため突起をさらに有する［２２］の歯がため装置。
［２４］
上記ハンドル上に複数の同心の歯がため稜部をさらに有する［２２］の歯がため装置。
［２５］
上記複数の歯がため稜部は、連続した一般に直線状の稜部を有する［１］の歯がため装置。
［２６］
上記連続した一般に直線状の稜部の各稜部は、約１インチより少なくない曲率半径を有する［２５］の歯がため装置。
［２７］
上記乳首状部分上に複数の歯がため突起をさらに有する［２５］の歯がため装置。
［２８］
上記複数の歯がため稜部は、複数の同心の歯がため稜部を有する［１］の歯がため装置。
［２９］
上記複数の歯がため稜部の各稜部は、上記乳首状部分の表面に属する第１面および第２面を有する［１］の歯がため装置。
［３０］
上記第１および第２面は、約０．０１０インチと約０．０インチとの間の曲率を有する頂部で会う［２９］の歯がため装置。
［３１］
上記曲率は、約０．００５インチを含む［３０］の歯がため装置。
［３２］
上記第１および第２面は、それらの間のレーキ角を規定し、上記レーキ角は、約１１０度と約１３０度との間である［２９］の歯がため装置。
［３３］
上記レーキ角は、約１２０度である［３２］の歯がため装置。
［３４］
上記複数の歯がため稜部は、乳首状部分の上面上、および上記乳首状部分の下面上に形成される［１］の歯がため装置。
【国際調査報告】
2011515190.tif 000016